(57)【要約】【課題】露光部材の撓みを抑制して、露光部材の像保持体に対する位置を決めることができる露光部材位置決め構造及び画像形成装置を得る。【解決手段】ハウジング６１の一端側に取り付けられたコイルスプリング２１２は、ハウジング６１の一端側を付勢して、ハウジング６１の一端側に設けられた第２突出部材２５２ＦをＸＺ方向支持部材１２３Ｆへ押し付けている。このため、コイルスプリング２１２がハウジング６１の他端側を付勢する場合と比べて、ＬＰＨ１４（露光部材）の撓みを抑制して、ＬＰＨ１４の感光体ドラム１２（像保持体）に対する位置を決めることができる。【選択図】図１
2010076130.tif 000002
【特許請求の範囲】
【請求項１】
画像を保持する円柱状の像保持体と、
前記像保持体を露光する長尺状の露光部と、前記露光部を支持する長尺状の露光部支持体とを備える露光部材と、
前記露光部支持体の一端側に設けられると共に、前記像保持体を支持する支持体に固定された支持部材に前記像保持体の軸方向から当り前記露光部材の前記像保持体に対する前記軸方向の位置を決める軸方向位置決部材と、
前記露光部支持体の一端側を付勢して、前記軸方向位置決部材を前記支持部材へ押し付ける付勢部材と、
を備えることを特徴とした露光部材位置決め構造。
【請求項２】
前記露光部の光軸方向における前記露光部材の前記像保持体に対する位置を決める光軸方向位置決部材と、
前記像保持体の周方向における前記露光部材の前記像保持体に対する位置を決める周方向位置決部材と、
を備える請求項１に記載の露光部材位置決め構造。
【請求項３】
装置本体に固定され、前記軸方向に伸びる案内部を備える台座部材と、
前記露光部支持体に設けられると共に、前記案内部に当って前記露光部材を前記軸方向に沿って移動させる当接部材と、    
を備える請求項１又は２に記載の露光部材位置決め構造。
【請求項４】
請求項１〜３何れか１項に記載された露光部材位置決め構造と、
前記露光部材位置決め構造によって位置が決められた露光部材によって像保持体に形成された潜像をトナー画像として可視化する現像器と、
を備えることを特徴とする画像形成装置。
【発明の詳細な説明】
【技術分野】
【０００１】
本発明は、露光部材位置決め構造及びこれを備えた画像形成装置に関する。
【背景技術】
【０００２】
特許文献１の露光部材は、ＬＥＤ等の発光素子をライン状に並べた発光素子アレイを備えている。そして、この露光部材には、感光体ドラム（像保持体）に向けて突出する突当部材が設けられており、この突当部材を感光体ドラムを支持するドラムブラケットに突き当てることで、露光部材の感光体ドラムに対する位置を決めるようになっている。
【特許文献１】特開平７−１９５７３４号公報
【発明の開示】
【発明が解決しようとする課題】
【０００３】
本発明の目的は、露光部材の撓みを抑制して、露光部材の像保持体に対する位置を決めることが課題である。
【課題を解決するための手段】
【０００４】
本発明の請求項１に係る露光部材位置決め構造は、  画像を保持する円柱状の像保持体と、前記像保持体を露光する長尺状の露光部と、前記露光部を支持する長尺状の露光部支持体とを備える露光部材と、前記露光部支持体の一端側に設けられると共に、前記像保持体を支持する支持体に固定された支持部材に前記像保持体の軸方向から当り前記露光部材の前記像保持体に対する前記軸方向の位置を決める軸方向位置決部材と、前記露光部支持体の一端側を付勢して、前記軸方向位置決部材を前記支持部材へ押し付ける付勢部材と、を備えることを特徴とする。
【０００５】
本発明の請求項２に係る露光部材位置決め構造は、請求項１に記載において、前記露光部の光軸方向における前記露光部材の前記像保持体に対する位置を決める光軸方向位置決部材と、前記像保持体の周方向における前記露光部材の前記像保持体に対する位置を決める周方向位置決部材と、を備えることを特徴とする。
【０００６】
本発明の請求項３に係る露光部材位置決め構造は、請求項１又は２に記載において、装置本体に固定され、前記軸方向に伸びる案内部を備える台座部材と、前記露光部支持体に設けられると共に、前記案内部に当って前記露光部材を前記軸方向に沿って移動させる当接部材と、を備えることを特徴とする。
【０００７】
本発明の請求項４に係る画像形成装置は、請求項１〜３何れか１項に記載された露光部材位置決め構造と、前記露光部材位置決め構造によって位置が決められた露光部材によって像保持体に形成された潜像をトナー画像として可視化する現像器と、を備えることを特徴とする。
【発明の効果】
【０００８】
本発明の請求項１の構成によれば、付勢部材は、露光部支持体の一端側を付勢して、露光部支持体の一端側に設けられた軸方向位置決部材を支持部材へ押し付けている。このため、付勢部材が露光部支持体の他端側を付勢する場合に比して、露光部材の撓みを抑制して、露光部材の像保持体に対する位置を決めることができる。
【０００９】
本発明の請求項２の構成によれば、光軸方向位置決部材が光軸方向における露光部材の像保持体に対する位置を決め、周方向位置決部材が周方向における露光部材の像保持体に対する位置を決める。このため、この構成を有さない場合と比して、露光部材の像保持体に対する位置ずれを抑制することができる。
【００１０】
本発明の請求項３の構成によれば、露光部支持体に設けられた当接部材が、案内部に当って露光部材を軸方向に沿って移動させる。このため、この構成を有さない場合と比して、容易に露光部材を軸方向に沿って移動させることができる。
【００１１】
本発明の請求項４の構成によれば、請求項１〜３何れか１項に記載された露光部材位置決め構造によって位置が決められた露光部材によって像保持体に形成された潜像を現像器がトナー画像として可視化する。このため、この構成を有さない場合と比して、トナー画像の歪み及び位置ずれ等を抑制することができる。
【発明を実施するための最良の形態】
【００１２】
本発明の第１実施形態に係る露光部材位置決め構造が採用された画像形成装置の一例を図１〜図１３に従って説明する。
【００１３】
（全体構成）
図１３に示されるように、画像形成装置１は、所謂タンデム型のデジタルカラープリンタであり、各色の画像データに対応して画像形成を行う画像形成プロセス部１０、画像形成装置１全体の動作を制御する制御部３０、例えばパーソナルコンピュータ（ＰＣ）３や画像読取装置４等といった外部装置に接続され、これらから受信された画像データに対して所定の画像処理を施す画像処理部３５、各部に電力を供給する主電源７０を備えている。
【００１４】
画像形成プロセス部１０には、一定の間隔を置いて並列的に配置される４つの画像形成ユニット１１Ｙ、１１Ｍ、１１Ｃ、１１Ｋ（以下、総称して単に「画像形成ユニット１１」とも称す）が備えられている。各画像形成ユニット１１は、静電潜像を形成してトナー像を保持する像保持体としての感光体ドラム１２、感光体ドラム１２の表面を所定電位で一様に帯電する帯電器１３、帯電器１３によって帯電された感光体ドラム１２を画像データに基づいて露光する露光部材の一例としてのＬＥＤプリントヘッド（ＬＰＨ）１４、感光体ドラム１２上に形成された静電潜像を現像する現像器１５、転写後の感光体ドラム１２表面を清掃するクリーナ１６を備えている。
【００１５】
また、各画像形成ユニット１１は、現像器１５に収納されたトナーを除いて、略同様に構成されている。そして、各画像形成ユニット１１は、それぞれがイエロー（Ｙ）、マゼンタ（Ｍ）、シアン（Ｃ）、黒（Ｋ）のトナー像を形成する。
【００１６】
さらに、画像形成プロセス部１０は、各画像形成ユニット１１の感光体ドラム１２にて形成された各色トナー像が多重転写される中間転写ベルト２０、各画像形成ユニット１１の各色トナー像を中間転写ベルト２０に順次転写（一次転写）させる一次転写ロール２１、中間転写ベルト２０上に転写された重畳トナー像を記録材（記録紙）である用紙Ｐに一括転写（二次転写）させる二次転写ロール２２、二次転写された画像を用紙Ｐ上に定着させる定着器５０を備えている。
【００１７】
ここで、各画像形成ユニット１１においては、感光体ドラム１２と帯電器１３とクリーナ１６とは、像保持体ユニットとしての一体化されたモジュール（以下、「感光体モジュールＭＯＤ」と称す）として構成されている。そして、感光体モジュールＭＯＤは、画像形成装置１に対して着脱自在に構成され、感光体ドラム１２の寿命等に応じて交換可能である。
【００１８】
なお、感光体モジュールＭＯＤは、感光体ドラム１２のみの構成や、また、上記構成要素に加えて現像器１５を一体化した構成も採用することもできる。すなわち、寿命が他の構成要素に比較して短い感光体ドラム１２を含んだものであれば、如何なる構成要素との組み合わせによっても感光体モジュールＭＯＤを構成することができるが、本実施形態では、感光体モジュールＭＯＤとＬＰＨ１４とを別体とした構成を前提としている。
【００１９】
また、ＬＰＨ１４は、後段で説明する接離（リトラクト）機構により、画像形成時において設定される感光体ドラム１２を露光する際の所定の位置（露光位置）と、例えば感光体モジュールＭＯＤの着脱時において設定される感光体ドラム１２から離隔した位置との間で、接離自在に構成されている。
【００２０】
本実施形態の画像形成装置１では、画像形成プロセス部１０は、制御部３０から供給される各種の制御信号に基づいて画像形成動作を行う。すなわち、制御部３０による制御の下で、ＰＣ３や画像読取装置４から入力された画像データは、画像処理部３５によって画像処理が施され、不図示のインターフェースを介して各画像形成ユニット１１に供給される。そして、例えば黒（Ｋ）色の画像形成ユニット１１Ｋでは、感光体ドラム１２が矢印Ａ方向に回転しながら、帯電器１３により所定電位で一様に帯電され、画像処理部３５から送信された画像データに基づいて発光するＬＰＨ１４により露光される。それにより、感光体ドラム１２上には、黒（Ｋ）色画像に関する静電潜像が形成される。そして、感光体ドラム１２上に形成された静電潜像は現像器１５により現像され、感光体ドラム１２上には黒（Ｋ）色のトナー像が形成される。同様に、画像形成ユニット１１Ｙ、１１Ｍ、１１Ｃにおいても、それぞれイエロー（Ｙ）、マゼンタ（Ｍ）、シアン（Ｃ）の各色トナー像が形成される。
【００２１】
各画像形成ユニット１１で形成された各色トナー像は、矢印Ｂ方向に移動する中間転写ベルト２０上に、一次転写ロール２１により順次静電吸引されて、各色トナーが重畳された合成トナー像が形成される。中間転写ベルト２０上の合成トナー像は、中間転写ベルト２０の移動に伴って二次転写ロール２２が配置された領域（二次転写部Ｔ２）に搬送される。合成トナー像が二次転写部Ｔ２に搬送されると、トナー像が二次転写部Ｔ２に搬送されるタイミングに合わせて用紙Ｐが用紙保持部４０から二次転写部Ｔ２に供給される。そして、二次転写部Ｔ２にて二次転写ロール２２により形成される転写電界により、合成トナー像は搬送されてきた用紙Ｐ上に一括して静電転写される。
【００２２】
その後、合成トナー像が静電転写された用紙Ｐは、中間転写ベルト２０から剥離され、搬送ガイド２３を通って定着器５０まで搬送される。定着器５０に搬送された用紙Ｐ上の合成トナー像は、定着器５０によって熱および圧力による定着処理を受けて用紙Ｐ上に定着される。そして、定着画像が形成された用紙Ｐは、画像形成装置１の排出部に設けられた排紙積載部４５に搬送される。
【００２３】
一方、二次転写後に中間転写ベルト２０に付着しているトナー（転写残トナー）は、二次転写の終了後に中間転写ベルト２０表面からベルトクリーナ２５によって除去され、次の画像形成サイクルに備えられる。
【００２４】
このようにして、画像形成装置１での画像形成がプリント枚数分のサイクルだけ繰り返して実行される。
【００２５】
次に、ＬＥＤプリントヘッド（ＬＰＨ）１４の構成について説明する。
【００２６】
図７に示されるように、ＬＰＨ１４は、露光部支持体としてのハウジング６１と、感光体ドラム１２を露光する長尺状の露光部７２を備えて構成されている。さらに、露光部７２は、光源の一例としてのＬＥＤアレイ（ＬＥＤ）６３、ＬＥＤ６３やＬＥＤ６３を駆動する駆動信号を生成する信号生成回路１００等を搭載するＬＥＤ回路基板６２、ＬＥＤ６３からの光を感光体ドラム１２表面に結像させる光学部材の一例としてのロッドレンズアレイ６４、ロッドレンズアレイ６４を支持するとともにＬＥＤ６３を外部から遮蔽するホルダー６５、ハウジング６１をロッドレンズアレイ６４方向に加圧する板バネ６６を備えている。
【００２７】
また、ハウジング６１は、アルミニウム、ＳＵＳ等の金属のブロックまたは板金で形成され、ＬＥＤ回路基板６２を支持している。また、ホルダー６５は、ハウジング６１およびロッドレンズアレイ６４を支持し、ＬＥＤ６３の発光点とロッドレンズアレイ６４の焦点面とが一致するように設定している。さらに、ホルダー６５はＬＥＤ６３を密閉するように構成されている。それにより、ＬＥＤ６３に外部からゴミが付着することを防いでいる。一方、板バネ６６は、ＬＥＤ６３およびロッドレンズアレイ６４の位置関係を保持するように、ハウジング６１を介してＬＥＤ回路基板６２をロッドレンズアレイ６４方向に加圧している。
【００２８】
このように構成されたＬＰＨ１４は、調整ネジ（図示せず）によってロッドレンズアレイ６４の光軸方向に移動可能に構成され、ロッドレンズアレイ６４の結像位置（焦点面）が感光体ドラム１２表面上に位置するように調整される。
【００２９】
ＬＥＤ回路基板６２には、図１１（ＬＥＤ回路基板６２の平面図）に示すように、例えば５８個のＬＥＤチップ（ＣＨＩＰ１〜ＣＨＩＰ５８）からなるＬＥＤ６３が、感光体ドラム１２の軸線方向と平行になるように精度良くライン状に配置されている。この場合、各ＬＥＤチップ（ＣＨＩＰ１〜ＣＨＩＰ５８）に配置された発光素子（ＬＥＤ）の配列（ＬＥＤアレイ）の端部境界において、各ＬＥＤアレイがＬＥＤチップ同士の連結部で連続的に配列されるように、各ＬＥＤチップは交互に千扇状に配置されている。
【００３０】
また、ＬＥＤ回路基板６２には、ＬＥＤ６３を駆動する信号（駆動信号）を生成する信号生成回路１００およびレベルシフト回路１０８、所定の電圧を出力する３端子レギュレータ１０１、ＬＥＤ６３の光量補正データ等を記憶するＥＥＰＲＯＭ１０２、制御部３０および画像処理部３５との間での信号の送受信や主電源７０からの電力供給を受けるハーネス１０３が備えられている。
【００３１】
図１２に示されるように、本実施形態のＬＥＤ６３は、信号生成回路１００およびレベルシフト回路１０８から各種駆動信号が供給される。すなわち、信号生成回路１００は、ＬＥＤ６３に配置されたＬＥＤ各々の並びに沿って順次点灯可能状態に設定する転送信号ＣＫ１Ｒ、ＣＫ１Ｃおよび転送信号ＣＫ２Ｒ、ＣＫ２Ｃと、画像処理部３５からの画像データに基づきＬＥＤ各々を順次点灯する点灯信号Φ１とを生成する。そして、転送信号ＣＫ１Ｒ、ＣＫ１Ｃおよび転送信号ＣＫ２Ｒ、ＣＫ２Ｃをレベルシフト回路１０８に出力し、点灯信号Φ１をＬＥＤ６３に出力する。
【００３２】
レベルシフト回路１０８は、抵抗Ｒ１ＢとコンデンサＣ１、および抵抗Ｒ２ＢとコンデンサＣ２がそれぞれ並列に配置された構成を有し、それぞれの一端がＬＥＤ６３の入力端子に接続され、他端が信号生成回路１００の出力端子に接続されている。そして、レベルシフト回路１０８は、信号生成回路１００から出力される転送信号ＣＫ１Ｒ、ＣＫ１Ｃおよび転送信号ＣＫ２Ｒ、ＣＫ２Ｃに基づいて転送信号ＣＫ１および転送信号ＣＫ２を生成し、ＬＥＤ６３に出力する。
【００３３】
―方、本実施形態のＬＥＤ６３は、例えば、スイッチ素子としての１２８個のサイリスタＳ１〜Ｓ１２８、発光素子としての１２８個のＬＥＤ  Ｌ１〜Ｌ１２８、１２８個のダイオードＤ１〜Ｄ１２８、１２８個の抵抗Ｒ１〜Ｒ１２８、さらには信号ラインΦ１、Φ２に過剰な電流が流れるのを防止する転送電流制限抵抗Ｒ１Ａ、Ｒ２Ａを主な構成要素としている。
【００３４】
そして、各サイリスタＳ１〜Ｓ１２８のアノード端子（入力端）Ａ１〜Ａ１２８は電源ライン５５に接続され、電源ライン５５を介して３端子レギュレータ１０１（図１１参照）から駆動電圧ＶＤＤ（ＶＤＤ＝＋３．３Ｖ）が供給される。
【００３５】
一方、各サイリスタＳ１〜Ｓ１２８のゲート端子（制御端）Ｇ１〜Ｇ１２８は、各サイリスタＳ１〜Ｓ１２８に対応して設けられた抵抗Ｒ１〜Ｒ１２８を介して電源ライン５６に各々接続され、電源ライン５６を介して接地（ＧＮＤ）されている。
【００３６】
また、奇数番目のサイリスタＳ１、Ｓ３、…、Ｓ１２７のカソード端子（出力端）Ｋ１、Ｋ３、…、Ｋ１２７には、信号生成回路１００およびレベルシフト回路１０８からの転送信号ＣＫ１が転送電流制限抵抗Ｒ１Ａを介して送信される。偶数番目のサイリスタＳ２、Ｓ４、…、Ｓ１２８のカソード端子（出力端）Ｋ２、Ｋ４、…、Ｋ１２８には、信号生成回路１００およびレベルシフト回路１０８からの転送信号ＣＫ２が転送電流制限抵抗Ｒ２Ａを介して送信される。
【００３７】
さらには、ＬＥＤ  Ｌ１〜Ｌ１２８のカソード端子は、信号生成回路１００に接続されて点灯信号Φ１が送信される。
【００３８】
そして、本実施形態の信号生成回路１００は、転送信号ＣＫ１Ｒ、ＣＫ１Ｃおよび転送信号ＣＫ２Ｒ、ＣＫ２Ｃをそれぞれ所定のタイミングでハイレベル（以下、「Ｈ」と記す）からローレベル（以下、「Ｌ」と記す）、「Ｌ」から「Ｈ」に設定する。それにより、レベルシフト回路１０８から出力される転送信号ＣＫ１の電位を「Ｈ」から「Ｌ」、「Ｌ」から「Ｈ」に繰り返し設定し、かつ、それに交互して出力される転送信号ＣＫ２の電位を「Ｈ」から「Ｌ」、「Ｌ」から「Ｈ」に繰り返し設定することで、例えば各ＬＥＤチップでは、奇数番目サイリスタＳ１、Ｓ３、…、Ｓ１２７を順次オフ→オン→オフの転送動作を行わせる。また、偶数番目のサイリスタＳ２、Ｓ４、…、Ｓ１２８を順次オフ→オン→オフの転送動作を行わせる。それにより、サイリスタＳ１〜Ｓ１２８をＳ１→Ｓ２→、…、→Ｓ１２７→Ｓ１２８の順番で順次オフ→オン→オフの転送動作を行わせ、それに同期させて、点灯信号Φ１を出力する。それによって、ＬＥＤ  Ｌ１〜Ｌ１２８は、Ｌ１→Ｌ２→、…、→Ｌ１２７→Ｌ１２８の順番で順次点灯される。
【００３９】
このように、本実施形態のＬＰＨ１４では、ＬＥＤ回路基板６２に設けられたすべてのＬＥＤチップ（ＣＨＩＰ１〜ＣＨＩＰ５８）において、各ＬＥＤ  Ｌ１〜Ｌ１２８がＬ１→Ｌ２→、…、→Ｌ１２７→Ｌ１２８の順番に点灯され、感光体ドラム１２上に対して画像データに基づく走査露光が行われる。
【００４０】
その場合に、ＬＰＨ１４からの露光は、形成される画像に傾きや歪み等が生じないように、感光体ドラム１２の軸線に対して平行に行われる必要がある。そのため、ＬＰＨ１４は、画像形成装置１に設置されるに際しては、感光体ドラム１２の軸線に対して高精度に位置設定されることが要求される。ここで、感光体ドラム１２（像保持体）の軸線とは、本実施形態の感光体ドラム１２のように像保持体が円筒形状である場合には、感光体ドラム１２の回転軸１２１（後段の図５等参照）の中心線が軸線である。また、例えば像保持体がベルト形状の感光体（ベルト感光体）であって、ベルト感光体の平面部に露光が行われる場合には、ベルト感光体表面の移動方向に直交し、かつ、露光領域におけるベルト感光体表面に平行な方向に向かう線が軸線である。
【００４１】
（要部構成）
次に、本実施形態の画像形成装置１におけるＬＰＨ１４位置決め構造について説明する。
【００４２】
図１に示されるように、図面左側が画像形成装置１の正面側であって、感光体モジュールＭＯＤが着脱操作される側である。また、図面右側が画像形成装置１の背面側であって、回転駆動する駆動モータからの駆動が感光体ドラム１２等に伝達される側である。なお、本明細書では、同様の機能を有する部材に関しては、正面側に配置された部材の番号には末尾に「Ｆ」を用い、背面側に配置された部材の番号には末尾に「Ｒ」を用いることとする。
【００４３】
図１に示されるように、本実施形態のＬＰＨ１４のハウジング６１には、ＬＰＨ１４におけるロッドレンズアレイ６４の光軸方向（これを、「Ｙ方向」と定義する）の位置を定める第１突出部材２５１Ｆ、２５１Ｒが設けられている。さらに、ハウジング６１には、ＬＰＨ１４における感光体ドラム１２の軸方向（これを「Ｚ方向」と定義する）の位置と、感光体ドラム１２の周方向（これを、「Ｘ方向」と定義する）の位置とを同時に定める第２突出部材２５２Ｆ、２５２Ｒが配置されている。
【００４４】
一方、本実施形態の感光体ドラム１２を支持する感光体モジュールＭＯＤには、感光体ドラム１２の回転軸１２１と同軸に、ＬＰＨ１４側の第１突出部材２５１Ｆ、２５１Ｒが突き当てられることでＬＰＨ１４のＹ方向位置を設定するＹ方向支持部材１２２Ｆ、１２２Ｒ、および、第２突出部材２５２Ｆ、２５２Ｒを支持することでＬＰＨ１４のＸ方向位置およびＺ方向位置を同時に設定するＸＺ方向支持部材１２３Ｆ、１２３Ｒが配置されている。
【００４５】
そして、本実施形態の画像形成装置１では、第１突出部材２５１ＦとＹ方向支持部材１２２Ｆとが、ＬＰＨ１４のＹ方向位置を設定する光軸方向位置決部材を構成している。同様に、第１突出部材２５１ＲとＹ方向支持部材１２２Ｒとが、光軸方向位置決部材を構成している。
【００４６】
また、第２突出部材２５２ＦとＸＺ方向支持部材１２３Ｆとが、ＬＰＨ１４のＸ方向位置およびＺ方向位置を同時に設定する周方向位置決部材及び軸方向位置決部材を構成している。同様に、第２突出部材２５２ＲとＸＺ方向支持部材１２３Ｒとが、周方向位置決部材及び軸方向位置決部材を構成している。
【００４７】
さらに、図１０に示されるように、ＬＰＨ１４では、第１突出部材２５１Ｆ、２５１Ｒおよび第２突出部材２５２Ｆ、２５２Ｒは、それぞれ所定の外径を持った円柱状部材で構成されている。そして、ハウジング６１の感光体ドラム１２に対向する面上において垂直に突出するように設置されるとともに、それぞれの中心軸がＬＥＤチップ（ＣＨＩＰ１〜ＣＨＩＰ５８）の配列方向と一致する方向に配列されたロッドレンズアレイ６４の配列線と一致するように配置されている。
【００４８】
また、第１突出部材２５１Ｆ、２５１Ｒは、第２突出部材２５２Ｆ、２５２Ｒよりもロッドレンズアレイ６４に近接して配置されている。それにより、第１突出部材２５１Ｆ、２５１Ｒが感光体モジュールＭＯＤ側のＹ方向支持部材１２２Ｆ、１２２Ｒに突き当てられた際に（図１も参照）、第１突出部材２５１Ｆ、２５１Ｒが支点となって後述する押上げバネ２１１の付勢力によりロッドレンズアレイ６４が挑むことを抑制している。なお、かかる観点から、押上げバネ２１１は第１突出部材２５１Ｆ、２５１Ｒが配置された位置の近傍、またはそれよりもロッドレンズアレイ６４側に配置されるのが好ましい。
【００４９】
そして、画像形成装置１が画像形成動作を行う際には、ＬＰＨ１４は後段で詳述する接離機構（リトラクト機構）により、感光体ドラム１２に対して露光を行う所定の露光位置に設定される。
【００５０】
図１に示されるように、本実施形態の画像形成装置１では、ＬＰＨ１４が露光位置に設定された状態において、ＬＰＨ１４側の第１突出部材２５１Ｆ、２５１Ｒが、それぞれＹ方向支持部材１２２Ｆ、１２２Ｒに突き当たるように構成されている。それによって、ＬＰＨ１４のＹ方向位置が設定される。また、ＬＰＨ１４側の第２突出部材２５２Ｆ、２５２Ｒが、それぞれＸＺ方向支持部材１２３Ｆ、１２３Ｒを支持するように構成されている。それによって、ＬＰＨ１４のＸ方向位置およびＺ方向位置が同時に設定される。
【００５１】
図９に示されるように、ＸＺ方向支持部材１２３Ｆは、Ｘ平面において、頂点位置が感光体ドラム１２の軸線上に設定され、軸線に対してＸ方向に対称に形成された略Ｖ字形の断面形状を有する溝部１２３Ｆｈが形成されている。そして、この溝部１２３Ｆｈが第２突出部材２５２Ｆを支持することで、Ｘ平面において、第２突出部材２５２Ｆの中心が感光体ドラム１２の軸線上に設定される。
【００５２】
すなわち、ＬＰＨ１４は、感光体モジュールＭＯＤに一端が固定され、他端がハウジングの一端側に固定された付勢部材としてのコイルバネ２１２により、Ｚ方向に付勢されている。
【００５３】
これにより、第２突出部材２５２Ｆは、溝部１２３ＦｈのＶ字部側面を２点で支持することとなるので、Ｘ平面における第２突出部材２５２Ｆの中心位置が感光体ドラム１２の軸線位置と一致するように設定される。
【００５４】
ここで、「溝部１２３Ｆｈの略Ｖ字形の断面形状」とは、溝部１２３Ｆｈを構成する２つの面のＸ平面における間隔がコイルバネ２１２の付勢方向に向けて連続的に狭くなる形状をいう。
【００５５】
また、ＸＺ方向支持部材１２３Ｒには、両端部が曲線で構成された略長方形の断面形状を有する溝部１２３Ｒｈが形成されている。溝部１２３Ｒｈは、Ｘ方向の幅が第２突出部材２５２Ｒの外径と略一致する長さ（すなわち、かかる外径に製造公差を加味した長さ）で形成されるとともに、軸線に対してＸ方向に対称に形成されている。そのため、この溝部１２３Ｒｈに第２突出部材２５２Ｒが図１に示されるように挿入されることで、Ｘ平面において、第２突出部材２５２Ｒの中心が感光体ドラム１２の軸線上に設定される。すなわち、溝部１２３Ｒｈにより第２突出部材２５２ＲのＸ方向位置が固定されながら、Ｘ平面における第２突出部材２５２Ｒの中心位置が感光体ドラム１２の軸線位置と一致するように設定される。
【００５６】
このように、Ｘ平面における第２突出部材２５２Ｆおよび第２突出部材２５２Ｒの中心位置が感光体ドラム１２の軸線上に設定される。
【００５７】
また、第２突出部材２５２ＦがＸＺ方向支持部材１２３Ｆの溝部１２３ＦｈのＶ字部側面に２点で密着して支持されることにより、ＸＺ方向支持部材１２３Ｆの溝部１２３Ｆｈの設置位置で定まるＺ方向の位置に、ＬＰＨ１４は高精度にＺ方向位置が設定される。さらに、溝部１２３Ｒｈにより第２突出部材２５２ＲのＸ方向位置が固定され、第２突出部材２５２ＦがＸＺ方向支持部材１２３Ｆの溝部１２３Ｆｈに向けて、すなわち、Ｚ方向に向けてコイルバネ２１２により付勢されているので、ＬＰＨ１４のＸ方向位置およびＺ方向位置が固定される。
【００５８】
また、図１０に示されるように、第２突出部材２５２Ｆおよび第２突出部材２５２Ｒと、第１突出部材２５１Ｆおよび第１突出部材２５１Ｒとは、ロッドレンズ配列線上に配置している。そのため、Ｘ平面における第２突出部材２５２Ｆおよび第２突出部材２５２Ｒの中心位置がＸ平面における感光体ドラム１２の軸線上に設定されることで、図９に示されるように、第１突出部材２５１Ｆおよび第１突出部材２５１Ｒは、Ｘ平面における感光体ドラム１２の軸線上においてそれぞれＹ方向支持部材１２２ＦおよびＹ方向支持部材１２２Ｒに突き当たることとなる。
【００５９】
そして、図１に示されるように、第１突出部材２５１Ｆおよび第１突出部材２５１Ｒが、Ｘ平面における感光体ドラム１２の軸線上においてそれぞれＹ方向支持部材１２２ＦおよびＹ方向支持部材１２２Ｒに突き当てられることにより、高精度にＬＰＨ１４のＹ方向位置が設定されることとなる。
【００６０】
上記したように、本実施形態の画像形成装置１では、ＬＰＨ１４のＹ方向位置を設定する第１突出部材２５１Ｆ、２５１ＲおよびＹ方向支持部材１２２Ｆ、１２２Ｒと、ＬＰＨ１４のＸＺ方向位置を設定する第２突出部材２５２Ｆ、２５２ＲおよびＸＺ方向支持部材１２３Ｆ、１２３Ｒとを用いることにより、それぞれ機能を分離させてＬＰＨ１４の位置を感光体ドラム１２の軸線に対して高精度に設定している。
【００６１】
そして、第１突出部材２５１Ｆ、２５１ＲおよびＹ方向支持部材１２２Ｆ、１２２Ｒは、第２突出部材２５２Ｆ、２５２ＲおよびＸＺ方向支持部材１２３Ｆ、１２３Ｒよりも、ロッドレンズアレイ６４に近接して配置されている。それにより、第１突出部材２５１Ｆ、２５１Ｒが感光体モジュールＭＯＤ側のＹ方向支持部材１２２Ｆ、１２２Ｒに突き当てられた際に（図１も参照）、第１突出部材２５１Ｆ、２５１Ｒが支点となって押上げバネ２１１（後段参照）の付勢力によりロッドレンズアレイ６４が撓むことを抑制している。
【００６２】
ところで、Ｙ方向支持部材１２２ＦおよびＹ方向支持部材１２２Ｒは、図８（感光体ドラム１２の正面側の端部領域の断面図）に示されるように、感光体ドラム１２の回転軸１２１と同軸に配置され、その表面位置が感光体ドラム１２の軸線から所定の位置に設定されるように構成されている。
【００６３】
具体的には、感光体ドラム１２の両端部には、感光体ドラム１２の内周面にフランジ１２４が嵌合され、感光体ドラム１２とフランジ１２４とが一体的に構成されている。フランジ１２４は、内周面に焼結ベアリング１２５を有する。そして、焼結ベアリング１２５を介して感光体モジュールＭＯＤに固定された回転軸１２１に回転可能に支持され、感光体ドラム１２を回転軸１２１に対して回転自在に支持している。フランジ１２４の外周面にはボールベアリングが外嵌されている。本実施形態においては感光体ドラム１２の回転に伴う位置決め精度の低下を回避するために、感光体ドラム１２の回転に伴って回転しないボールベアリングをＬＰＨ１４側の第１突出部材２５１Ｆ、２５１Ｒを支持するＹ方向支持部材１２２Ｆ、Ｙ方向支持部材１２２Ｒとして用いている。そして、Ｙ方向支持部材１２２Ｆ、Ｙ方向支持部材１２２Ｒは、ベアリング支持部材１２６により、感光体モジュールＭＯＤに支持されている。
【００６４】
この構成により、感光体ドラム１２は、感光体ドラム１２と一体のフランジ１２４が、焼結ベアリング１２５を介して感光体モジュールＭＯＤに固定された回転軸１２１に回転可能に支持されるとともに、フランジ１２４の外周面側が感光体モジュールＭＯＤに支持されたＹ方向支持部材１２２Ｆであるボールベアリングに回転可能に支持されながら回転する。そして、回転軸１２１の外径と焼結ベアリング１２５の内外径とフランジ１２４の内外径とが精度良く製造でき、かつ、ボールベアリング自体の内外径も精度良く製造できることから、Ｙ方向支持部材１２２ＦやＹ方向支持部材１２２Ｒとしてのボールベアリングの外輪表面位置は、軸線との距離を高精度に設定することができる。それにより、ボールベアリングで構成されるＹ方向支持部材１２２ＦおよびＹ方向支持部材１２２Ｒの外輪表面に、第１突出部材２５１Ｆおよび第１突出部材２５１Ｒが突き当てられることにより、高精度にＬＰＨ１４のＹ方向位置が設定される。
【００６５】
なお、ボールベアリングで構成されるＹ方向支持部材１２２ＦおよびＹ方向支持部材１２２Ｒの外輪表面側がベアリング支持部材１２６により支持されることにより、Ｙ方向支持部材１２２ＦおよびＹ方向支持部材１２２Ｒの外輪表面は回転しない。そのために、突き当てられる第１突出部材２５１Ｆおよび第１突出部材２５１Ｒは磨耗することがないので、ＬＰＨ１４のＹ方向位置の精度の低下が抑制される。
【００６６】
続いて、本実施形態の画像形成装置１におけるＬＰＨ１４の接離機構（リトラクト機構）について説明する。
【００６７】
図１に示されるように、本実施形態の画像形成装置１では、リトラクト機構として、ＬＰＨ１４のハウジング６１にその一部を固定させて配置されたガイドバー２３２、ガイドバー２３２に回転自在に支持されたスライドロール２３１、ＬＰＨ１４のハウジング６１を上側に付勢する押上げバネ２１１、横方向にスライド移動することでＬＰＨ１４を上下方向に移動させるリトラクト部材２２０、リトラクト部材２２０のスライド移動をガイドするステージ２２１、リトラクト部材２２０をスライド移動させるリトラクトハンドル２２５、ＬＰＨ１４の上下方向の移動をガイドするガイド部材２４０、ＬＰＨ１４の正面側方向の移動を制限するストッパ２３０が備えられている。
【００６８】
本実施形態のリトラクト機構における動作を説明する。図１は、前述したように、ＬＰＨ１４が露光位置に設定された状態を示しているが、リトラクトハンドル２２５が図１中左側に倒されることで、リトラクト部材２２０は正面側から背面側にスライド移動する。その状態を表した図が、図２である。
【００６９】
図２に示されるように、リトラクト部材２２０が正面側から背面側にスライド移動されると、リトラクト部材２２０により押し上げられていたＬＰＨ１４は、ガイドバー２３２がリトラクト部材２２０の側面に形成されているレール２２２に導かれて、押上げバネ２１１の付勢力に抗しながら押し下げられる。その際に、リトラクト部材２２０に設けられた斜面をスライドロール２３１が回転しながら円滑に押し下げられることとなる。それにより、ＬＰＨ１４は下方向に感光体ドラム１２から離隔される。
【００７０】
この状態では、図２に示されるように、第１突出部材２５１Ｆ、２５１Ｒと、第２突出部材２５２Ｆ、２５２Ｒとは、それぞれＹ方向支持部材１２２Ｆ、１２２Ｒ、ＸＺ方向支持部材１２３Ｆ、１２３Ｒから離脱する。その際に、第１突出部材２５１Ｆ、２５１Ｒと、第２突出部材２５２Ｒとは、それぞれＹ方向支持部材１２２Ｆ、１２２Ｒ、ＸＺ方向支持部材１２３Ｒから完全に離脱する。すなわち、第１突出部材２５１Ｆ、２５１Ｒは、感光体ドラム１２の表面位置よりも下側位置に退避する。また、第２突出部材２５２Ｒは、ＸＺ方向支持部材１２３Ｒの下面よりも下側位置に退避する。
【００７１】
これに対して、第２突出部材２５２Ｆは、ＸＺ方向支持部材１２３Ｆからは、完全には離脱しない。すなわち、図６（第２突出部材２５２Ｆの先端部とＸＺ方向支持部材１２３Ｆとの相対位置を示した図）に示されるように、第２突出部材２５２Ｆの先端部が、ＸＺ方向支持部材１２３ＦのＹ方向から投射した領域内に位置するように設定され、第２突出部材２５２Ｆは、ＸＺ方向支持部材１２３Ｆの下面よりも上側位置までしか退避しない。
【００７２】
すなわち、感光体モジュールＭＯＤの着脱時には、第１突出部材２５１Ｆ、２５１Ｒが感光体ドラム１２の表面位置よりも下側位置に退避し、かつ、第２突出部材２５２ＲがＸＺ方向支持部材１２３Ｒの下面位置よりも下側に退避するように構成している。これに対して、第２突出部材２５２Ｆの溝部１２３Ｆｈは、背面側に解放されているので、第２突出部材２５２ＦがＸＺ方向支持部材１２３Ｆの下面よりも上側位置に配置された状態でも着脱可能とする構成にしている。
【００７３】
ＬＰＨ１４を図１に示した露光位置に再び設定するには、リトラクトハンドル２２５を図２右側に倒し、図１の元の位置に戻すように設定する。そうすると、リトラクト部材２２０は背面側から正面側にスライド移動する。それにより、ガイドバー２３２がリトラクト部材２２０の側面に形成されているレール２２２に導かれて、押上げバネ２１１の付勢力が加わりながら押し上げられる。その際に、リトラクト部材２２０に設けられた斜面をスライドロール２３１が回転しながら円滑に押し上げられることとなる。それにより、ＬＰＨ１４は上方向に移動し、感光体モジュールＭＯＤにコンタクトされる。
【００７４】
そして、ＬＰＨ１４が感光体モジュールＭＯＤにコンタクトされることにより、第１突出部材２５１Ｆおよび第１突出部材２５１Ｒは、それぞれＹ方向支持部材１２２Ｆ、１２２Ｒに突き当てられる。また、第２突出部材２５２Ｆおよび第２突出部材２５２Ｒは、それぞれＸＺ方向支持部材１２３Ｆ、１２３Ｒに支持される。
【００７５】
この状態では、ＬＰＨ１４は、押上げバネ２１１の付勢力により感光体ドラム１２側に付勢されるので、Ｙ方向位置が固定される。また、上記したように、ＬＰＨ１４のＸ方向位置およびＺ方向位置も固定される。
【００７６】
ところで、前述したように、ＬＰＨ１４をＺ方向位置に高精度に設定するに際しては、第２突出部材２５２ＦがＸＺ方向支持部材１２３Ｆの溝部１２３ＦｈのＶ字部側面に２点で密着して支持される必要がある。そのために、ＬＰＨ１４は、コイルバネ２１２により、Ｚ方向に付勢されている。
【００７７】
ところが、ＬＰＨ１４がコイルバネ２１２により第２突出部材２５２Ｆ側に付勢されているために、ＬＰＨ１４が下方向に離隔され、感光体モジュールＭＯＤから離脱した際には、ＬＰＨ１４は正面側に付勢される。それにより、ＬＰＨ１４は、正面側に向けて移動し、正面側端部がストッパ２３０と接触する位置において止まることとなる。すなわち、図２に示されるように、ＬＰＨ１４が下方向に離隔された場合には、第１突出部材２５１Ｆ、２５１Ｒおよび第２突出部材２５２Ｆ、２５２Ｒは、それぞれＹ方向支持部材１２２Ｆ、１２２ＲおよびＸＺ方向支持部材１２３Ｆ、１２３Ｒが配置された位置よりも、Ｘ平面内でＺ方向正面側にずれて位置することとなる。
【００７８】
したがって、ＬＰＨ１４を上方向にコンタクトさせて露光位置に設定する場合には、第１突出部材２５１Ｆ、２５１Ｒおよび第２突出部材２５２Ｆ、２５２Ｒは、Ｘ平面内でＺ方向正面側にずれた位置から、それぞれＹ方向支持部材１２２Ｆ、１２２ＲおよびＸＺ方向支持部材１２３Ｆ、１２３Ｒに設定されることとなる。
【００７９】
そこで、Ｘ平面内でＺ方向正面側にずれた位置から、それぞれＹ方向支持部材１２２Ｆ、１２２ＲおよびＸＺ方向支持部材１２３Ｆ、１２３Ｒへの設定を円滑に行うために、第２突出部材２５２Ｒを支持するＸＺ方向支持部材１２３Ｒの溝部１２３Ｒｈは、Ｘ方向に対してＺ方向に長い幅の断面形状を有し、Ｘ平面内でＺ方向にリトラクトハンドル２２５の操作時の移動量よりも長い溝部を構成している。
【００８０】
しかし、第２突出部材２５２Ｆに関しては、前述したように、コイルバネ２１２に付勢されながら、ＸＺ方向支持部材１２３Ｆの溝部１２３ＦｈのＶ字部側面に２点に密着して支持されることで、ＬＰＨ１４のＺ方向位置が高精度に設定される。そのため、Ｙ方向支持部材１２３Ｆの溝部１２３Ｆｈを、Ｘ平面内でＺ方向に長さの余裕が生じるように設計することはできない。そこで、本実施形態の画像形成装置１では、ＬＰＨ１４が露光位置から退避した場合にも、第２突出部材２５２Ｆの先端部がＸＺ方向支持部材１２３ＦのＹ方向から投射した領域内に位置するように設定し、第２突出部材２５２ＦをＸＺ方向支持部材１２３Ｆの下面よりも上側位置までしか退避させないように構成している。
【００８１】
すなわち、図５（ａ）に示されるように、ＬＰＨ１４が感光体モジュールＭＯＤから離脱した位置では、第２突出部材２５２Ｆの上端部は、ＸＺ方向支持部材１２３Ｆの下面よりも上側に位置している。すなわち、第２突出部材２５２Ｆの上端部は、ＸＺ方向支持部材１２３Ｆ内部に位置している。そのため、ＬＰＨ１４がＸ平面内でＺ方向正面側にずれて位置している場合でも、リトラクト機構により上方向に移動する際に、確実にＹ方向支持部材１２３Ｆの溝部１２３Ｆｈ内部に導かれる。その際に、第２突出部材２５２Ｆの上端部およびＸＺ方向支持部材１２３Ｆの溝部１２３Ｆｈの下部にそれぞれテーパを形成しておくことで、より確実かつ円滑に第２突出部材２５２ＦはＸＺ方向支持部材１２３Ｆの溝部１２３Ｆｈに導かれる。
【００８２】
そして、図５（ｂ）に示されるように、リトラクト機構による上方向への移動が開始されＬＰＨ１４が上方向への移動を開始すると、第２突出部材２５２ＦはＸＺ方向支持部材１２３Ｆの溝部１２３Ｆｈの側面に沿って、溝部１２３Ｆｈの内部を上方向に移動する。そして、図５（ｃ）に示されるように、ＬＰＨ１４が露光位置に設定された際に、コイルバネ２１２により正面側に向かう方向に付勢されながら、第２突出部材２５２ＦがＸＺ方向支持部材１２３Ｆの溝部１２３ＦｈのＶ字部側面に２点で密着して支持される位置に設定される。
【００８３】
ここで、第２突出部材２５２ＦがＸＺ方向支持部材１２３Ｆの溝部１２３ＦｈのＶ字部側面に２点で密着して支持されるために、図４（第２突出部材２５２ＦがＸＺ方向支持部材１２３Ｆに支持された状態での断面図）に示されるように、溝部１２３ＦｈのＶ字部の開口幅Ｍ２が第２突出部材２５２Ｆの外径Ｍ１よりも大きく形成している。溝部１２３ＦｈのＶ字部の開口幅Ｍ２を第２突出部材２５２Ｆの外径Ｍ１と同程度に形成した場合には、第２突出部材２５２Ｆが溝部１２３Ｆｈ内において４つの接点を持って接触する場合や、Ｖ字部側面の手前の側面において２つの接点を持って接触する場合等があり、その場合には、ＬＰＨ１４のＺ方向位置やＸ方向位置において本来配置したい位置に設定できない。
【００８４】
さらに、前述した本実施形態のリトラクト機構では、ガイド部材２４０の幅がＬＰＨ１４のハウジング６１の幅よりも大きく形成されている。図３（ａ）は、図１に示すＬＬ断面図であり、図３（ｂ）が図１に示すＮＮ断面図である。図３（ａ）に示されるように、ガイド部材２４０の幅Ｔ２が、ＬＰＨ１４のハウジング６１の幅Ｔ１よりも大きく形成されることで、ＬＰＨ１４は、接離動作が行われる際にＸ方向に動ける自由度が増加する。それにより、第２突出部材２５２Ｆは、下部にテーパが形成されたＸＺ方向支持部材１２３Ｆの溝部１２３ＦｈのＶ字部側面の２点に円滑に支持される。
【００８５】
また、第２突出部材２５２Ｒにおいても、Ｘ方向の幅が第１突出部材２５１Ｒの外径と略一致するように形成されたＸＺ方向支持部材１２３Ｒの溝部１２３Ｒｈの下部にテーパが形成され、かつ、ＬＰＨ１４がコンタクトされる際にＸ方向に動ける自由度を有することから、上端部にテーパが形成された第２突出部材２５２Ｒは、ＸＺ方向支持部材１２３Ｒの溝部１２３Ｒｈに円滑に支持される。
【００８６】
なお、本実施形態の画像形成装置１では、第１突出部材２５１Ｆ、２５１Ｒと、第２突出部材２５２Ｆ、２５２Ｒとを別体で構成したが、第１の位置決め手段と第２の位置決め手段を構成する上で、第１の支持部材と第２の支持部材とを別体で構成し、第１突出部材２５１Ｆと第２突出部材２５２Ｆと、第１突出部材２５１Ｒと第２突出部材２５２Ｒを一体で構成して、Ｙ方向位置とＸ方向位置とＺ方向位置と１つの突出部で設定するように構成することもできる。
【００８７】
また、本実施形態の画像形成装置１では、Ｙ方向支持部材１２２Ｆ、１２２ＲとＸＺ方向支持部材１２３Ｆ、１２３Ｒとを感光体モジュールＭＯＤ側に設けた構成で説明したが、それらが感光体ドラム１２と所定の位置関係を維持することができるように構成できれば、画像形成装置１の本体側に設けることもできる。
【００８８】
以上説明したように、本実施形態の画像形成装置１おいては、ＬＰＨ１４側の第１突出部材２５１Ｆ、２５１Ｒが、それぞれ感光体モジュールＭＯＤ側に設けられたＹ方向支持部材１２２Ｆ、１２２Ｒに突き当たることにより、ＬＰＨ１４のＹ方向位置が設定される。それと同時に、ＬＰＨ１４側の第２突出部材２５２Ｆ、２５２Ｒが、それぞれ感光体モジュールＭＯＤに設けられたＸＺ方向支持部材１２３Ｆ、１２３Ｒに支持されることにより、ＬＰＨ１４のＸ方向位置およびＺ方向位置が同時に設定される。そして、第１突出部材２５１Ｆ、２５１Ｒは、第２突出部材２５２Ｆ、２５２Ｒよりもロッドレンズアレイ６４に近接して配置されている。それにより、第１突出部材２５１Ｆ、２５１Ｒが感光体モジュールＭＯＤ側のＹ方向支持部材１２２Ｆ、１２２Ｒに突き当てられた際にロッドレンズアレイ６４が撓むことを抑制しながら、ＬＰＨ１４を感光体ドラム１２に対して精度良く位置設定している。
【００８９】
次に、本発明の第２実施形態に係る露光部材位置決め構造が採用された画像形成装置の一例を図１４、図１５に従って説明する。
【００９０】
なお、第１実施形態と同一部材については、同一符号を付してその説明を省略する。
【００９１】
図１５に示されるように、この実施形態では第１実施形態と違い、感光体ドラム１２から離間したＬＰＨ１４の第１突出部材２５１Ｆ、２５１Ｒと、第２突出部材２５２Ｆ、２５２Ｒとは、それぞれＹ方向支持部材１２２Ｆ、１２２Ｒ、ＸＺ方向支持部材１２３Ｆ、１２３Ｒから離脱すると共に、Ｙ方向にも離間するようになっている。
【００９２】
さらに、図１４に示されるように、台座部材としてのガイド部材３００には、軸線方向に伸びる案内部３０２が設けられており、ハウジング６１には、案内部３０２と当ってＬＰＨ１４を軸線方向に沿って移動させる当接部材としてのＴ型状のスタッド３０４が設けられている。この構成により、スタッド３０４が案内部３０２に当りながら移動することで、ＬＰＨ１４が軸線方向に沿って移動する構成となっている。
【００９３】
なお、ＬＰＨ１４を軸線方向へ移動させる場合に移動の障害となるストッパ２３０等の部品は、ＬＰＨ１４から離間させることができ、移動の障害にならないようになっている。
【図面の簡単な説明】
【００９４】
【図１】本発明の第１実施形態に係る露光部材位置決め構造を示した説明図である。
【図２】本発明の第１実施形態に係る露光部材位置決め構造を示した説明図である。
【図３】（ａ）（ｂ）本発明の第１実施形態に係る露光部材位置決め構造を示した断面図である。
【図４】本発明の第１実施形態に係る露光部材位置決め構造を示した拡大平面図である。
【図５】（ａ）（ｂ）（ｃ）本発明の第１実施形態に係るＬＰＨを感光体モジュールから離脱した位置から露光位置に設定する際の第１突出部材とＸＺ方向支持部材との相対位置関係を説明する説明図である。
【図６】本発明の第１実施形態に係る露光部材位置決め構造を示した拡大側面図である
【図７】本発明の第１実施形態に係るＬＥＤプリントヘッド（ＬＰＨ）の構成を示した概略構成図である。
【図８】本発明の第１実施形態に係る感光体ドラムの正面側の端部領域の断面図である。
【図９】本発明の第１実施形態に係るＬＰＨが露光位置に設定された状態における感光体ドラム、第１突出部材、Ｙ方向支持部材、第２突出部材、ＸＺ方向支持部材の位置関係および断面形状を示した図である。
【図１０】本発明の第１実施形態に係るＬＰＨでの第１突出部材および第２突出部材の配置位置を説明する平面図である。
【図１１】本発明の第１実施形態に係るＬＥＤ回路基板の平面図である。
【図１２】本発明の第１実施形態に係るＬＥＤを説明する図である。
【図１３】本発明の第１実施形態に係る露光部材位置決め構造が採用された画像形成装置の概略構成図である。
【図１４】本発明の第２実施形態に係るＬＥＤプリントヘッド（ＬＰＨ）の構成を示した概略構成図である。
【図１５】本発明の第２実施形態に係る露光部材位置決め構造を示した説明図である。
【符号の説明】
【００９５】
１              画像形成装置
１２            感光体ドラム（像保持体）
１４            ＬＰＨ（露光部材）
１５            現像器
６１            ハウジング（露光部支持体）
７２            露光部
１２２          Ｙ方向支持部材（光軸方向位置決部材）
１２３Ｆ        ＸＺ方向支持部材（支持部材、周方向位置決部材）
１２３Ｒ        ＹＺ方向支持部材（周方向位置決部材）
２１２          コイルバネ（付勢部材）
２５１          第１突出部材（光軸方向位置決部材）
２５２Ｆ        第２突出部材（軸方向位置決部材、周方向位置決部材）
２５２Ｒ        第２突出部材（周方向位置決部材）
３００          ガイド部材（台座部材）
３０２          案内部
３０４          スタッド（当接部材）
【図１】
2010076130.tif 000003
【図２】
2010076130.tif 000004
【図３】
2010076130.tif 000005
【図４】
2010076130.tif 000006
【図５】
2010076130.tif 000007
【図６】
2010076130.tif 000008
【図７】
2010076130.tif 000009
【図８】
2010076130.tif 000010
【図９】
2010076130.tif 000011
【図１０】
2010076130.tif 000012
【図１１】
2010076130.tif 000013
【図１２】
2010076130.tif 000014
【図１３】
2010076130.tif 000015
【図１４】
2010076130.tif 000016
【図１５】
2010076130.tif 000017